(57)【要約】【解決手段】少なくとも一つの翼（５ａ）と、少なくとも一つの翼（５ａ）の運動を電気エネルギーに変換する手段とを備える風力タービンを開示する。風力タービンは、少なくとも一つの翼（５ａ）に含まれる少なくとも一つのアンテナ（６ａ）と、放射するべき信号（７１）をアンテナ（６ａ）に供給する伝送回路（７０）とをさらに備える。【選択図】図１
2013543552.tif 000002
【特許請求の範囲】
【請求項１】
風力タービンであって、
複数の翼と、
前記複数の翼の運動を電気エネルギーに変換する手段と
を備え、
前記複数の翼のそれぞれは、対応するアンテナを有し、
前記風力タービンは、
放射するべき信号を少なくとも一つの前記アンテナに供給する伝送回路と、
前記伝送回路と前記複数の翼が有する複数の前記アンテナとの間に接続されたスイッチングユニットと
をさらに備え、
前記スイッチングユニットは、複数の前記アンテナのうち一つ以上を前記伝送回路に動的に接続し、
前記スイッチングユニットは、複数の前記アンテナのうち前記伝送回路に接続されない前記アンテナを基準電位に接続する
風力タービン。
【請求項２】
前記スイッチングユニットは、信号サーキュレータである請求項１に記載の風力タービン。
【請求項３】
前記複数の翼は、ローターハブに機械的に接続され、
前記ローターハブは、回転式ジョイントに機械的に接続され、
前記回転式ジョイントは、少なくとも一つの入力ポートおよび一つの出力ポートを有し、入力ポートと出力ポートとの常時連通を可能にし、前記入力ポートは、前記スイッチングユニットに接続され、前記出力ポートは、アンテナに動作可能に接続される
請求項１または２に記載の風力タービン。
【請求項４】
前記風力タービンの外部から到達する入力信号を受信する受信装置をさらに備え、
前記受信装置は、前記放射するべき信号が、前記入力信号に基づいたものとなるように、前記伝送回路に動作可能に接続される
請求項１から３のいずれか１項に記載の風力タービン。
【請求項５】
翼が所定の位置にあるかを検出する少なくとも一つのセンサをさらに備える請求項１から４のいずれか１項に記載の風力タービン。
【請求項６】
無線信号を受信装置に伝送する方法であって、
少なくとも一つのアンテナで無線信号を伝送する段階を備え、
前記アンテナは、請求項１から５のいずれか１項に記載の風力タービンに含まれ、
前記風力タービンは、複数のアンテナを有し、
前記方法は、前記複数のアンテナのうち、前記放射するべき信号を供給されない全てのアンテナを基準電位に接続する段階を備える
方法。
【請求項７】
前記風力タービンは、動翼である複数の翼を有し、
前記方法は、
放射するべき信号を生成する段階と、
所定の空間領域にある翼を検出する段階と、
検出した前記翼に含まれるアンテナに前記放射するべき信号を供給する段階と
をさらに備える請求項６に記載の方法。
【請求項８】
前記複数の翼のそれぞれは、アンテナを含み、
前記複数の翼は、円形のローターハブの周囲に均等に分散され、
前記空間領域は、前記ローターハブの中心を中心とする円周に含まれる円弧により規定され、かつ、隣接し合う２つのアンテナを通る前記円周の半径の間に延在する扇形の領域である
請求項７に記載の方法。
【請求項９】
前記風力タービンは、複数の翼を有し、
前記複数の翼のそれぞれは、アンテナを含み、
前記方法は、
前記複数の翼を静止状態に保つ段階と、
放射するべき信号を生成する段階と、
前記複数の翼のうちの第１の翼に含まれる第１のアンテナに、前記放射するべき信号を、所定時間、供給する段階と、
前記所定時間が経過した後、前記第１のアンテナに隣接する第２のアンテナに、前記放射するべき信号を供給する段階と
をさらに備える請求項６に記載の方法。
【請求項１０】
前記放射するべき信号は、前記第２のアンテナに、前記所定時間、印加され、
前記所定時間が経過した後、前記放射するべき信号は、隣接するアンテナに印加される
請求項９に記載の方法。
【請求項１１】
無線信号を伝送する方法であって、
請求項１から５のいずれか１項に記載の風力タービン少なくとも２つが、請求項６から１０のいずれか１項に記載の方法にしたがって、対応する無線信号を伝送し、
少なくとも２つの前記風力タービンは、異なる偏波を有する信号を伝送し、好ましくは、５０ｍ〜３Ｋｍの距離、離間して設置される
方法。
【請求項１２】
請求項１から５のいずれか１項に記載の風力タービンを複数備える風力発電所であって、
複数の前記風力タービンは、適切に離間され、伝送回路を設けられており、
複数の前記風力タービンの複数の前記伝送回路は、異なる、または同一の偏波を有する同一の信号を同期して伝送して、空間多重化ＭＩＭＯ構成を実施する
風力発電所。
【請求項１３】
請求項１から５のいずれか１項に記載の風力タービンを備える遠隔通信ネットワークであって、
前記風力タービンは、前記通信ネットワークのリピータとして配備され、
前記風力タービンは、外部装置からの信号を受信し、受信した前記信号を処理して、前記伝送回路および前記翼に含まれる前記アンテナを介して伝送するべき信号を取得するのに適した受信装置を有する
遠隔通信ネットワーク。
【発明の詳細な説明】
【技術分野】
【０００１】
本発明は、風力タービンに関し、特に、電磁波伝送システムを備える風力タービンに関する。本発明は、さらに、所望の偏波の電磁波を伝送するべく上記の風力タービンを制御する方法に関する。
【背景技術】
【０００２】
風力を用いて、風力エネルギーシステムとも呼ばれる風力タービンにより発電を行うことが知られている。
【０００３】
最も一般的な風力タービンは、水平軸風力タービンであり、一つ以上の翼がローターハブに垂直に取り付けられている。翼に風が当たると、ローターハブが水平軸を中心として回転し、ローターシャフトが発電機に運動を伝え、発電機は、機械的エネルギーを電気エネルギーに変換する。
【０００４】
ローターハブおよび発電機は、地平面で吹くよりも強い風を捕らえるべく非常に高くに建設された塔の天辺に配備される。長い導電線を使用して、電気エネルギーを発電機から電力グリッド、または、たとえば塔の底部に配備されたバッテリ等のその他の種類の負荷に伝送する。
【０００５】
風力タービンの利用は歓迎されており、「グリーン」エネルギーを増産するべく推進されている一方で、風力タービンにはいくつかの欠点がある。
【０００６】
まず、無風状態である場合、または、過度の風が吹いている場合、風力タービンは動作せず、したがって、景観を汚しているだけである（いわゆる視覚公害）。さらに、広大な風力発電地帯に一団として建設されている場合、風力タービンは地上無線通信（たとえば、テレビ、ラジオ、および携帯電話）およびレーダー信号に干渉する可能性がある。
【発明の概要】
【発明が解決しようとする課題】
【０００７】
本発明の目的は、エネルギーの生成に使用することができるだけでなく、特に、翼が動かない場合でも使用することができる風力タービンを提供することである。
【０００８】
本発明の目的は、遠隔通信ネットワークに干渉するのでなく、むしろ、遠隔通信ネットワークに利用することができる風力タービンを提供することである。また、特に、本発明の目的は、風力タービンを用いて、直線偏波または円偏波を有する電磁波を伝送する方法を提供することである。
【０００９】
本発明のこれらの目的およびその他の目的は、本明細書の不可欠の一部を構成する添付の特許請求の範囲に記載の特性を組み込んだ風力タービンによって達成される。
【課題を解決するための手段】
【００１０】
本発明の一つの観点によると、少なくとも一つのアンテナがタービンの翼に含められる。伝送回路が、アンテナに電気的に接続され、伝送すべき信号をアンテナに供給する。
【００１１】
この方法では、タービンを発電機として使用しないとき（たとえば、無風状態であるので）、タービンは、通信システムのアンテナとして使用することができる。特に、アンテナは翼に組み込まれているので、翼の位置および伝送すべき信号の生成を制御することにより、水平偏波または垂直偏波を有する信号を伝送するべく、翼を使用することができる。
【００１２】
さらに、翼により伝送される信号を制御することにより、風力タービンは、通信ネットワークのアクティブ要素として使用することができ、したがって、その他の通信ネットワークに対する干渉が回避される。
【００１３】
好ましくは、風力タービンは、それぞれがアンテナを含む３枚の翼と、伝送回路を、一度に一つ選択されるアンテナに動的に接続し、好ましくは、その他を基準電位に接続するスイッチングユニットとを備える。例として、スイッチングユニットは、伝送回路を垂直翼に接続し、その他の２枚の翼を基準電位に、特に、接地平面に接続することにより、アンテナを、垂直偏波した電磁波を放射する垂直ダイポールとして動作させる。または、スイッチングユニットは、伝送回路を、所定の時間に所定の空間位置に位置する翼に接続して、円偏波を生成する。
【００１４】
したがって、風力タービンの翼の信号のスイッチングを制御することにより、翼を使用して、所望の方向でダイポールにより生成される電磁場をシミュレートすることができる。
【００１５】
本発明の別の観点によると、風力発電所は、適切に離間され、（異なる、または同一の偏波を有する）同一の信号を同期して伝送して、空間多重化ＭＩＭＯ構成を実施する伝送回路をそれぞれが備える複数の風力タービンを備える。
【００１６】
本発明の別の観点によると、風力タービンは、遠隔通信ネットワークのリピータとして配備され、この目的において、外部装置からの信号を受信するのに適した受信装置を備える。受信信号は、伝送回路と、翼に組み込まれたアンテナとを介して伝送される信号を取得するべく処理される。
【図面の簡単な説明】
【００１７】
本発明のさらなる特性および利点が、添付の図面を参照して非限定的例として記載される本発明に係る電磁波信号を伝送する方法およびシステムの好適かつ非限定的な実施形態の詳細な説明を読むことにより、明らかになるであろう。
【図１】本発明に係る風力タービンの正面図および側面図を示す。
【図２】図１の風力タービンの翼を示す。
【図３】図１の風力タービンの伝送回路の概略図である。
【図４】図３の伝送回路に使用するのに適したスイッチングユニットを示す。
【図５】遠隔通信ネットワークにおいて、本発明の第２実施形態に係る２つの風力タービンの使用を示す。
【図６】図５の風力タービンの伝送回路の概略図である。
【図７】ＭＩＭＯ構成での２つの風力タービンの使用を示す。
【図８】本発明に係る無線信号を伝送する方法のフローチャートである。
【図９】（ａ）〜（ｃ）は、図８の方法の各段階での図１の風力タービンの翼を示す。
【図１０】アンテナから図１の風力タービンの伝送回路までの電気接続を示す。
【図１０Ａ】図１０の実施形態で使用される信号サーキュレータの側面図である。
【図１０Ｂ】図１０Ａの信号サーキュレータのセクションＡ−Ａに沿った上面図である。
【図１０Ｃ】図１０Ａの信号サーキュレータのセクションＢ−Ｂに沿った上面図である。
【図１１】本発明の第２実施形態に係る無線信号を伝送する方法のフローチャートである。
【図１２】本発明の第３実施形態に係る無線信号を伝送する方法のフローチャートである。
【図１３】（ａ）〜（ｃ）は、図１２の方法の各段階での図１の風力タービンの翼を示す。  これらの図面は、本発明の多様な観点および実施形態を示し、適切である場合は、同様の構造、構成要素、材料、および／または要素は、異なる図面間で同様の参照番号により示す。
【発明を実施するための形態】
【００１８】
図１は、本発明に係る電磁波を伝送する風力タービン（通常、参照番号１で示す）の正面図および側面図を示す。
【００１９】
図１の実施形態では、風力タービン１は、水平軸風力タービンであり、発電機３０、高速ローターシャフト３１、変速機３２、および主ローターシャフト３３を有する積荷室３を指示する塔２を備える。
【００２０】
３枚翼ローターハブ４が、風によって翼５ａ、５ｂ、および５ｃが動いたときに、主ローターシャフト３３を回転させるように、主ローターシャフトに接続されている。変速機３２は、高速ローターシャフト３１がより高速で回転できるようにして発電機３０を駆動し、発電機に電気エネルギーを発生させる。
【００２１】
図１を参照して記載する好適な実施形態では、風力タービンは３枚の翼を有するが、他の実施形態では、風力タービンは、別の数の翼を有してよく、たとえば、風力タービン１は、１枚翼であっても２枚翼であってもよい。
【００２２】
非限定的例として、翼５ａ、５ｂ、および５ｃは、重量および抵抗の要件にしたがって、グラスファイバー、カーボンファイバー、またはその他の合成材料から形成してよい。本発明の目的において、翼５ａ、５ｂ、および５ｃは、ファラデー箱効果を回避するべく、非導電材料から形成することが好ましい。
【００２３】
図２は、入力として受信した信号を放射するアンテナ６ａを含む翼５ａの概略図である。以下の実施形態では、翼５ｂおよび５ｃは、翼５ａと同一であり、それぞれアンテナ６ｂおよび６ｃを含むので、以下では、翼５ａだけを記載する。
【００２４】
アンテナ６ａは、単純なダイポールアンテナ、八木アンテナ、ホーンアンテナ、パラボラアンテナ、アンテナアレイ、または、任意のその他の周知のアンテナであってよい。図２の実施形態では、翼５ａは、中空の本体を有し、アンテナ６ａは、その中に、つまり、翼の表面により規定された空間に、配置される。代替的な実施形態では、アンテナ６ａを含む翼５ａは、中実の本体を有してよい（たとえば、アンテナは、泡で充填することができる）。
【００２５】
アンテナ６ａは、好適には、翼の本体に、取り外し可能な締結手段により接続され、したがって、アンテナは、その保守時に、簡単に取り外すことができる。または、アンテナ６ａは、翼の内面または外面に固定（たとえば、接着）することができる。アンテナ６ａは、翼５ａの内部に取り付けることが好ましく、それは、アンテナを雨、雪、および風から保護することができるからである。
【００２６】
一般的に、本発明において、少なくとも一つの翼５ａがアンテナ６ａを含んでいれば十分である。
【００２７】
アンテナ６ａは、信号発生ユニット７に接続するコネクタ６０を含む。
【００２８】
図３は、信号発生ユニット７、ならびに図１の風力タービン１の３枚の翼に含まれるアンテナ６ａ、６ｂ、および６ｃの概略図を示す。本実施形態では、信号発生ユニット７は、伝送信号７１を発生し、一つ以上のアンテナに供給する伝送回路７０を有する。伝送信号７１は、アンテナ６ａ、６ｂ、および６ｃにより放射かつ伝送される電気信号である。好適な実施形態では、伝送回路７０は、一つ以上のフィルタ、発振器、位相ロックループ、及び電力増幅器を有する電子システムである。
【００２９】
図３の実施形態では、伝送回路７０とアンテナ６ａ、６ｂ、および６ｃとは、スイッチングユニット７２を介して接続される。
【００３０】
スイッチングユニット７２は、２つの入力を有し、一方は、伝送回路の出力に接続され、他方は、基準電位７３に、特に、接地電位に接続され、接地電位は、塔の金属構造から取ってよく、より好ましくは、伝送信号７１を伝送する同軸ケーブルの金属シールドから取ってよい。スイッチングユニット７２は、さらに３つの出力を有し、３つのアンテナ６ａ、６ｂ、および６ｃが接続される。
【００３１】
図４に示すように、スイッチングユニット７２は、複数のスイッチングモジュール７２０ａ、７２０ｂ、および７２０ｃを有し、これらは、制御ユニット７２１（たとえば、マイクロコントローラ）によって制御されて、各アンテナ６ａ、６ｂ、および６ｃを伝送回路７０、または基準電位７３に接続する。一つの実施形態では、スイッチングモジュールは、ＳＣＲ（シリコン制御整流器）等の集積スイッチング装置であり、別の実施形態では、スイッチングモジュールは、電気機械式継電器によって実施してもよい。
【００３２】
以下により詳細に記載するとおり、スイッチングユニット７２は、これらのスイッチングモジュールを異なる方法で制御して、異なる偏波の電磁波を伝送させるようにプログラムすることができる。たとえば、制御ユニット７２１は、一度に一つのアンテナを伝送回路７０に接続し、その他の二つを基準電位７３に接続するようプログラムすることができるが、これは、三つのアンテナ６ａ、６ｂ、および６ｃが、一つのアンテナを信号に接続し、その他の二つを基準電位に接続することにより、三つのアンテナがダイポールアンテナとして機能するように、１２０度隔離して取り付けられているからである。
【００３３】
スイッチングユニット７２は、伝送回路７０に集積することができ、または、省くこともできる。後者の場合、信号発生ユニット７は、一つのアンテナにつき一つの伝送回路を備え、全伝送回路を制御することにより、ブロードキャストするべき信号を一つのアンテナに伝送し、その他のアンテナを基準電位に接続することができる。
【００３４】
別の実施形態では、図５を参照すると、風力タービン１は、風力タービン１の外部から到達する信号を受信する受信装置８を備える。非限定的例として、受信する信号は、性質が多様であり（たとえば、光信号または電気信号）、たとえば、有線もしくは無線等の異なる媒体を介して受信され得る。
【００３５】
図５の実施形態では、風力タービン１は、通信ネットワークの要素であり、受信信号は、通信ネットワークの無線装置により送信された無線信号であり、受信無線信号は、たとえば、ＴＶリピータにより送信されるテレビ信号、または移動体電話ネットワークの無線ネットワークコントローラにより送信される信号であってよい。外部から信号を受信するべく受信装置８は、受信アンテナ８０を備える。
【００３６】
図６は、受信装置８を備える風力タービンの電気回路の概略図を示す。図６の実施形態では、風力タービン１は、風力タービンの翼の内部に配置されるアンテナ６ａ、６ｂ、および６ｃを介して無線信号を伝送するべく図１および図３と同じ手段を備える。受信装置８が、外部から信号を受信し、デコードし、対応するベースバンド信号を伝送回路７０に供給して、伝送回路は、信号を再生（リジェネレート）して伝送する。この実施形態では、風力タービンは、アクティブリピータとして動作するが、別の実施形態では、風力タービンは、パッシブリピータであってよく、つまり、信号をリジェネレートせず、受信して再送する。
【００３７】
本発明の別の観点によると、複数の風力タービン１を使用して、図７に示すように、ＭＩＭＯ（多重入出力）アンテナ構成を実施する。好ましくは、前記複数のうち少なくとも二つの風力タービン１を、異なる偏波の電磁波を放射するよう制御して、偏波ダイバーシティを実現し、チャネルスループットを向上させる。風力タービン１を利用して、テレビネットワークのＭＩＭＯ伝送を、周波数範囲５００ｋＨｚ〜５０ＧＨｚで送信される信号により実施する場合、風力タービンは、好ましくは、５０ｍ〜３ｋｍだけ離間して配置して、空間ダイバーシティを実現し、伝送信頼性を高める。
【００３８】
図８は、翼が回転していても適切な偏波状態を有する電磁波を放射する本発明に係る風力タービンを使用した方法のフローチャートである。
【００３９】
方法は、段階８０１で開始し、伝送すべき信号が、風力タービンの伝送回路で生成されるが、図５および図６を参照して上記したように、伝送回路により生成される信号は、外部から受信され、アンテナ６ａ〜６ｃに伝送されて再送される信号であってよい。
【００４０】
方法では、次に、翼の位置を検出する（段階８０２）か、または、少なくとも、翼５ａ〜５ｃの回転平面の所定領域を通過している翼がいずれであるかを検出する。好ましくは、この領域は、翼の先端の回転軌跡により規定される円に含まれる所定の扇形であり、この円の中心は、ローターハブ４である。
【００４１】
一つの実施形態では、一つ以上の翼の位置の検出は、スイッチングユニット７２の制御ユニット７２１に動作可能に接続された一つ以上のセンサ（特に、近接センサ）によって実行される。明らかに、この実施形態は、非限定的であり、その他の手段が可能である。
【００４２】
段階８０３で、方法は、スイッチングユニット７２により、所定の領域に進入したアンテナを伝送回路７０の出力に接続し、その他二つのアンテナを基準電位７３に接続する。
【００４３】
図９（ａ）では、翼５ａ、５ｂ、および５ｃが時計回り方向に回転するよう支持されるように図示され、この方法では、垂直方向ｘを中心とした１２０度の扇形である回転平面の領域９０に進入したアンテナに、伝送すべき信号７１を印加する。図９（ａ）では、アンテナ６ａが領域９０に進入しており、したがって、伝送すべき信号を供給され、したがって、翼６ａは黒で示されている。
【００４４】
信号をアンテナ（図９（ａ）の場合は、アンテナ６ａ）に供給した後、この方法では、次のアンテナが所定の空間領域９０に進入するのが検出されるまで待機する。この間、伝送すべき信号は、最初に選択されたアンテナの入力にずっと供給されているが、このことは、図９（ｂ）に見られるように、アンテナ６ａが垂直方向に沿って配置され、信号がいまだにこのアンテナに印加されていることから分かる。
【００４５】
したがって、この方法は、段階８０３から段階８０２に戻る。新たな翼が空間領域９０に進入すると、信号は、新たに検出された翼に含まれるアンテナに印加され、他の二つのアンテナには基準電位が印加される。これは、図９（ｃ）に示されており、信号は、アンテナ６ａから、今回空間領域９０に進入した翼５ｂに含まれるアンテナ６ｂ（ここでは、黒く示されている）に移っている。
【００４６】
図１０は、本発明の一実施形態に係る風力タービンの詳細を示す。この実施形態では、伝送回路７０は、同軸ケーブル７０１を介してサーキュレータ７２０に供給される高周波信号７１を生成する。サーキュレータ７２０は、一般的に、複数のポートを備える装置であり、入力信号（第１ポートで受信）を一つの出力ポートに、次に、隣の出力ポートに交互に供給する。一つの出力ポートから別の出力ポートへのスイッチングは、好ましくは、制御ユニットにより制御されるが、周期的な態様で入力信号を出力ポートにスイッチするその他の電気機械的手段を実施することもできる。
【００４７】
図１０Ａ、１０Ｂ、および１０Ｃは、本発明の一実施形態で使用されるサーキュレータ７２０の異なる面および詳細を示す。サーキュレータ７２０は、４つのコネクタ７２０２、７２０３ａ、７２０３ｂ、および７２０３ｃを有する外側円形筐体７２０１を備える。
【００４８】
コネクタ７２０２は、出力コネクタ７２０３ａ、７２０３ｂ、および７２０３ｃにスイッチされる入力信号を搬送する同軸ケーブルに接続するための回転式コネクタである。図１０の実施形態では、ケーブル７０１は、したがって、コネクタ７２０２に接続される。
【００４９】
筐体７２０１は、好ましくは、金属製であり、図１０Ａ〜１０Ｃに示すように、接地面として使用することができ、同軸ケーブル７０１の外側導体７０１０が接続される（コネクタ７２０２を介して筐体７２０１に）。別の実施形態では、サーキュレータ７２０は、筐体の内部に設置され、接地面として使用される金属プレートを備える。
【００５０】
筐体７２０１の内部には、２枚の金属シート７２０４よび７２０５が、外部装置の制御下で、中心軸ｙ周りに回転自在に取り付けられている。一実施形態では、２枚の金属シートの運動は、筐体７２０１の内部に適切に設置された電磁石を介して実現され、通電されると、電磁石は、２枚の金属シートを動かす。金属シート７２０４および７２０５は、電気的に接触しないように隔離されている。金属シート７２０４および７２０５は、回転軸ｙを有する実質的に円筒状の形状を持つコネクタが形成されるように、互いに一体化される。図１０Ｃに示すように、金属シート７２０４は、コネクタ７２０２の内側導体に接続され、金属シート７２０５は、コネクタ７２０２の外側導体に接続される。
【００５１】
平面Ω（回転軸ｙに直交する）における金属シート７２０５の区画は、３６０／Ｎ℃に等しい角度θに収まり、Ｎは、出力ポートの数である（図１０Ａ〜１０Ｃの例では、３）。平面Ωにおける金属シート７２０４の区画は、相補的であり、２点７２０６および７２０７で分断される円周を形成する。
【００５２】
コネクタ７２０３ａ、７２０３ｂ、および７２０３ｃは、外側円筒状コンタクト（７２０８ａ、７２０８ｂ、および７２０８ｃ）と、内側コンタクト（７２０９ａ、７２０９ｂ、および７２０９ｃ）とを有する。内側円筒状コンタクトは、摺動コンタクト（７２１０ａ、７２１０ｂ、および７２１０ｃ）を有しており、金属シート７２０４および７２０５を軸ｙ周りに回転させることにより、この摺動コンタクトは、金属シート７２０４および７２０５に交互に接触する。これは、金属シート７２０４および７２０５の形状および寸法により、入力信号７１が出力コネクタ７２０３ａ、７２０３ｂ、および７２０３ｃのうちいずれか一つ（図１０Ｂでは、コネクタ７２０３ａ）の内側導体だけに供給され、その他２つのコネクタ（図１０Ｂでは、コネクタ７２０３ｂおよび７２０３ｃ）の内側導体は、入力ケーブル７０１の外側コネクタに接続される、つまり接地される、ということである。
【００５３】
同軸ケーブル７０２ａ、７０２ｂ、および７０２ｃは、サーキュレータ７２０の出力ポートを３チャネル回転式ジョイント７０３のコネクタ７０３０ａ、７０３０ｂ、および７０３０ｃにそれぞれ接続し、これにより、コネクタ７０３０ａ、７０３０ｂ、および７０３０ｃで受信した信号を、アンテナ６ａ、６ｂ（不図示）、および６ｃに接続された同軸ケーブル７０４ａ、７０４ｂ（図１０では不図示）、および７０４ｃに伝送することが可能になる。
【００５４】
回転式ジョイント７０３は、一方が他方に対して回転可能な２つの本体（７０３１および７０３２）を有する装置である。各本体は、各ケーブルと接続する３つのポートを有する。２つの本体７０３１および７０３２の回転からは独立して、一方の本体の各ポートは、他方の本体の対応する一つのポートと常に連通している（たとえば、光リンクまたは摺動コンタクトを介して）。
【００５５】
回転式ジョイントは、それ自体周知であり、Ｓｐｉｎｎｅｒ  ＧｍｂＨ等の製造業者により市販されている。
【００５６】
図１０の実施形態では、回転式ジョイント７０３は、主シャフト３３に、本体７０３１がハブおよび主シャフトで回転している間、本体７０３２が固定されているように、取り付けらており、したがって、明確性を期すべく、発電機３０、高速ローターシャフト３１、および変速機３２は、図示していない。別の実施形態では、回転式ジョイントは、高速ローターシャフト３１に、もしくは、ローターハブ４に機械的に接続された任意のその他のシャフトに取り付けてよいことは明らかである。
【００５７】
図１１は、電磁波を放射する風力タービン１を使用した第２の方法のフローチャートを示しており、特に、図１１の方法では、翼が回転する条件において円偏波を有する電磁波（たとえば、無線信号）を放射することが可能になる。
【００５８】
この方法は段階１１０１で開始し、円偏波を有する無線信号を伝送する決定を下し、次に（段階１１０２で）、伝送すべき信号（たとえば、図３の伝送信号７１）を風力タービンの翼の一つに含まれるアンテナ（たとえば、アンテナ６ｃ）に印加する。残りのアンテナは、基準電位に接続する。
【００５９】
好ましくは、図１１の方法では、アンテナ接続は、時間の経過に対して安定している。
【００６０】
翼が回転しているとき、偏波ベクトルが翼の回転とともに回転するので、この方法では、円偏波を有する電磁波を放射することができる。
【００６１】
この方法は、段階１１０３で、風力タービン１による円偏波電磁波の伝送を終了する決定を下したときに終了する。
【００６２】
図１２は、翼が回転していないときに、楕円偏波または円偏波を有する電磁波を放射する風力タービン１を使用した第３の方法を示す。
【００６３】
この実施形態では、この方法は、段階１２０１で、円偏波または楕円偏波を有する無線信号を伝送する決定を下すことにより開始される。段階１２０２で、カウンタＮをゼロに設定し、次に（段階１２０３で）伝送すべき信号（たとえば、図３の伝送信号７１）を、風力タービンの翼のうちの１つに含まれるアンテナに印加し、残りのアンテナを基準電位に接続する。この段階は、図１３（ａ）に示されており、アンテナ６ａを含む翼が、黒で表され、信号がこのアンテナに供給されていることが示され、アンテナ６ｂおよび６ｃを含む翼が、白で表され、基準電位に接続されていることが示される。
【００６４】
信号を第１アンテナ（図１３（ａ）では６ａ）に印加するとき、タイマを開始して時間をカウントし（段階１２０４）、信号をこのアンテナに印加する。
【００６５】
段階１２０４でタイマにカウントされている時間が所定時間経過すると、カウンタＮを１単位増加させ（段階１２０５）、（段階１２０６で）Ｎが、風力タービンのアンテナの数（図１３（ａ）〜１３（ｃ）の実施形態では、３）に等しくなると、この方法では、信号伝送が終了したかを確認し、終了しているならば、この方法は終了し（段階１２０８）、終了していないならば、この方法は段階１２０２に戻り、Ｎをゼロに戻し、この方法を繰り返す。
【００６６】
段階１２０６でＮがアンテナの最大数に等しくない場合、この方法は段階１２０３に戻り、時計回り方向で次のアンテナに信号を印加するが、反時計回り方向のアンテナに放射するべき信号を印加してもよいことは明らかである。
【００６７】
図１３（ａ）〜１３（ｃ）を参照すると、Ｎが０から１に増えると、伝送すべき信号は、時計回り方向でアンテナ６ａに隣接するアンテナ６ｃ（図１３（ｂ）において黒で表される）に印加される。Ｎが１から２に増えると、信号はアンテナ６ｂ（図１３（ｃ）において黒で表される）に印加され、最後に、Ｎが０に設定されると、信号は再びアンテナ６ａに印加される（図１３（ａ））。
【００６８】
上記の開示では、意図した目的が本発明によって果たされ、特に、従来技術の欠点のいくつかが克服されたことを示した。
【００６９】
記載した方法およびシステムによって、一般的な風力タービン構造を使用してエネルギーを生成し、電磁波を伝送することができる。
【００７０】
本発明に係る風力タービンおよび方法には、添付の特許請求の範囲によって規定される発明のコンセプト内に含まれると考えられる数多くの変更および改変を付加することができる。本発明の範囲から逸脱することなく、全詳細を、技術的に均等の部品により置き換えることができる。
【００７１】
風力タービンおよび方法を添付の図面を特に参照して記載したが、記載および特許請求の範囲に用いる参照番号は、発明をより良く理解するためだけのものであり、権利請求する範囲をなんらかの点において限定することは意図していない。
【図１】
2013543552.tif 000003
【図２】
2013543552.tif 000004
【図３】
2013543552.tif 000005
【図４】
2013543552.tif 000006
【図５】
2013543552.tif 000007
【図６】
2013543552.tif 000008
【図７】
2013543552.tif 000009
【図８】
2013543552.tif 000010
【図９】
2013543552.tif 000011
【図１０】
2013543552.tif 000012
【図１０Ａ】
2013543552.tif 000013
【図１０Ｂ】
2013543552.tif 000014
【図１０Ｃ】
2013543552.tif 000015
【図１１】
2013543552.tif 000016
【図１２】
2013543552.tif 000017
【図１３】
2013543552.tif 000018
【国際調査報告】
2013543552.tif 000019
2013543552.tif 000020
2013543552.tif 000021